(57)【要約】【課題】見栄えを向上させる。【解決手段】本発明の建物用の壁１０は、上端が建物内の天井３４と接続されると共に下端が建物内の床３６と接続された壁本体を構成すると共に、壁本体の幅方向に離間して配置された少なくとも一対の壁構成材１２と、一対の壁構成材１２の互いに対向する端面１６Ａにそれぞれ開口されると共に各壁構成材１２に上下方向に沿って形成された一対の溝部２４と、前記一対の溝部２４のそれぞれに設けられた弾性支持部材としての接着材２６と、一対の壁構成材１２の間に配置されて、一対の接着材２６のみによって一対の壁構成材１２に対して支持されると共に、天井３４から床３６に近接する位置まで上下方向に延在されたガラス板１４と、を備えており、一対の壁構成材１２は、一対の接着材２６及びガラス板１４によってのみ連結されている。【選択図】図１
2010196410.tif 000002
【特許請求の範囲】
【請求項１】
上端が建物内の天井と接続されると共に下端が前記建物内の床と接続された壁本体を構成すると共に、前記壁本体の幅方向に離間して配置された少なくとも一対の壁構成材と、
前記一対の壁構成材の互いに対向する端面にそれぞれ開口されると共に前記各壁構成材に上下方向に沿って形成された一対の溝部と、
前記一対の溝部のそれぞれに設けられた弾性支持部材と、
前記一対の壁構成材の間に配置されて、前記一対の弾性支持部材のみによって前記一対の壁構成材に対して支持されると共に、前記天井から前記床に近接する位置まで上下方向に延在されたガラス板と、
を備え、
前記一対の壁構成材は、前記一対の弾性支持部材及び前記ガラス板によってのみ連結されている、
建物用の壁。
【請求項２】
前記ガラス板は、前記一対の弾性支持部材によって前記壁本体の幅方向及び厚さ方向に支持されている、
請求項１に記載の建物用の壁。
【発明の詳細な説明】
【技術分野】
【０００１】
本発明は、建物用の壁に関する。
【背景技術】
【０００２】
特許文献１には、一対の框材の間にパネル板が設けられると共に、この一対の框材及びパネル板の上下が連結部材で連結された扉が開示されている。
【先行技術文献】
【特許文献】
【０００３】
【特許文献１】特許第４０１１０４３号公報（図１，図５，図６）
【発明の概要】
【発明が解決しようとする課題】
【０００４】
しかしながら、上記特許文献１に記載の例では、扉の上側に設けられた連結部材が外部から視認可能な状態にあり、扉の上側における見栄えが悪いという問題がある。これは、扉だけの問題ではなく、建物用の壁についても同様である。
【０００５】
本発明は、上記問題に鑑みてなされたものであって、見栄えを向上させることができる建物用の壁を提供することを目的とする。
【課題を解決するための手段】
【０００６】
前記課題を解決するために、請求項１に記載の建物用の壁は、上端が建物内の天井と接続されると共に下端が前記建物内の床と接続された壁本体を構成すると共に、前記壁本体の幅方向に離間して配置された少なくとも一対の壁構成材と、前記一対の壁構成材の互いに対向する端面にそれぞれ開口されると共に前記各壁構成材に上下方向に沿って形成された一対の溝部と、前記一対の溝部のそれぞれに設けられた弾性支持部材と、前記一対の壁構成材の間に配置されて、前記一対の弾性支持部材のみによって前記一対の壁構成材に対して支持されると共に、前記天井から前記床に近接する位置まで上下方向に延在されたガラス板と、を備え、前記一対の壁構成材が、前記一対の弾性支持部材及び前記ガラス板によってのみ連結された構成とされている。
【０００７】
請求項１に記載の建物用の壁では、隣り合う壁構成材の間には、ガラス板が配置されており、このガラス板は、天井から床に近接する位置まで上下方向に延在されている。
【０００８】
ここで、隣り合う壁構成材は、一対の弾性支持部材及びガラス板によってのみ連結されている。従って、隣り合う壁構成材同士を連結する連結部材が存在せず、ガラス板が天井から床に近接する位置まで外部から視認可能な状態となる。これにより、ガラス板がすっきりとした印象となり、壁全体の見栄えを向上させることができる。
【０００９】
ところで、上述のように、隣り合う壁構成材が、一対の弾性支持部材及びガラス板によってのみ連結されていると、ガラス板に衝撃が加えられてガラス板が割れた場合に壁の損壊が懸念される。
【００１０】
ところが、請求項１に記載の建物用の壁では、隣り合う壁構成材の互いに対向する端面に溝部がそれぞれ形成されており、この溝部のそれぞれに設けられた弾性支持部材によってガラス板が隣り合う壁構成材に対して弾性支持されている。従って、ガラス板に衝撃が加えられたときでも、この衝撃を弾性支持部材で吸収することができるので、ガラス板の割れを抑制することができる。
【００１１】
また、弾性支持部材を用いることにより、ガラス板に強化ガラスを用いる必要が無く、非強化ガラスを用いることが可能となる。そして、ガラス板に非強化ガラスを用いた場合には、ガラス板に強い衝撃が加えられた場合でも、ガラス板が強化ガラスのように粉々に砕け散ることが防止され、通常は、ガラス板に亀裂が生じる。
【００１２】
ここで、ガラス板は、隣り合う壁構成材によってのみ支持されている。このため、ガラス板に加えられた衝撃力は壁構成材へ向けて伝達され、上記亀裂も壁構成材に向かって生じる。従って、ガラス板に強い衝撃が加えられた場合でも、ガラス板に亀裂が上下方向に生じることを抑制できる。これにより、ガラス板が割れ難いか、又は、ガラス板が割れても壁としての機能を維持できる壁が実現可能となる。
【００１３】
請求項２に記載の建物用の壁は、請求項１に記載の建物用の壁において、前記ガラス板が、前記一対の弾性支持部材によって前記壁本体の幅方向及び厚さ方向に支持された構成とされている。
【００１４】
請求項２に記載の建物用の壁によれば、ガラス板が、一対の弾性支持部材によって壁本体の幅方向及び厚さ方向に支持されているので、ガラス板に対して壁本体の幅方向及び厚さ方向に衝撃が加えられた場合でも、ガラス板の割れを抑制することができる。
【発明の効果】
【００１５】
以上詳述したように、本発明によれば、ガラス板がすっきりとした印象となり、壁全体の見栄えを向上させることができる。
【図面の簡単な説明】
【００１６】
【図１】本発明の一実施形態に係る建物用の壁の斜視図である。
【図２】本発明の一実施形態に係る建物用の壁の要部拡大平面断面図である。
【図３】本発明の一実施形態に係る建物用の壁が建物内に取り付けられた状態を示す正面図である。
【発明を実施するための形態】
【００１７】
以下、上記図面に基づき、本発明の一実施形態について説明する。
【００１８】
図１に示される本発明の一実施形態に係る建物用の壁１０は、例えば、住宅等の建物におけるリビングの壁として好適に用いられるものであり、複数の壁構成材１２と、ガラス板１４とを有して構成されている。
【００１９】
複数の壁構成材１２は、壁１０の本体を構成するものであり、それぞれ上下方向に延在する板状に構成されている。この複数の壁構成材１２は、互いに壁１０の幅方向（Ｗ方向）に離間して配置されており、図２に示されるように、縦枠材１６と、柱１８と、一対の石膏板２０とをそれぞれ有して構成されている。
【００２０】
縦枠材１６は、壁構成材１２の幅方向両側に配置されており、この縦枠材１６に対する内側に配置された柱１８に固定されている。一対の石膏板２０は、柱１８に対する表側と裏側に対向して配置されており、柱１８に固定されている。そして、この縦枠材１６、一対の石膏板２０の表面は、クロス材２２で覆われている。なお、図１，図３では、壁１０にクロス材２２を貼り付ける前の状態が示されている。
【００２１】
また、縦枠材１６には、一対の壁構成材１２の互いに対向する端面１６Ａに開口する溝部２４が形成されている。この溝部２４は、縦枠材１６に上下方向に沿って形成されており、その上端は、縦枠材１６の上面に開口し（図１参照）、その下端は、縦枠材１６の下面に開口している（不図示）。
【００２２】
ガラス板１４は、図１に示されるように、上下方向を長尺方向とする短冊状に形成されており、隣り合う壁構成材１２の間に配置されている。このガラス板１４は、透光性を有する非強化ガラスにより構成されている。
【００２３】
なお、ここで言う強化ガラスとは、ガラスを軟化点温度近くまで加熱した後に、表層から急激に冷却することにより製造したものであり、非強化ガラスとは、これに当てはまらないものである。
【００２４】
また、このガラス板１４は、図２に示されるように、その幅方向両側が溝部２４に挿入されている。そして、この状態で、この溝部２４に接着材２６が充填されると共に、この接着材２６が固化されることにより、ガラス板１４が隣り合う壁構成材１２に対して支持されている。
【００２５】
この接着材２６（弾性支持部材）は、固化した状態でも弾性を有する材料のものであり、例えば、シリコーン変性ポリマー系弾性接着剤が用いられると好適である。
【００２６】
また、接着材２６は、ガラス板１４の表面、側面、裏面と凹部の内面との間に充填されており、これにより、ガラス板１４は、一対の接着材２６によって壁１０の幅方向及び厚さ方向に支持されている。なお、溝部２４の開口部には、見切り板２８が設けられており、接着材２６が外部から見えないようになっている。
【００２７】
このように、ガラス板１４は、一対の接着材２６のみによって隣り合う壁構成材１２に対して支持されている。また、隣り合う壁構成材１２の間に配置されるのは、ガラス板１４のみであり、上述の隣り合う壁構成材１２は、一対の接着材２６及びガラス板１４によってのみ連結されている。
【００２８】
そして、図３に示されるように、上記構成からなる壁１０が建物内に取り付けられた状態では、壁構成材１２の上端及びガラス板１４の上端は、天井３４と接続され、壁構成材１２の下端は、建物内の床３６と接続される。なお、天井３４には、床３６側に開口する図示しない溝部が設けられており、壁１０の上側の僅かな部分は、この溝部に挿入される。
【００２９】
また、ガラス板１４は、天井３４から床３６に近接する位置まで上下方向に延在され、このガラス板１４の下端と床３６との間には、支持台４０が配置される。
【００３０】
なお、上述の各構成部材のうち、ガラス板１４、縦枠材１６、接着材２６（図２のユニットＡ）は、予め工場において組立されてユニット化されている。
【００３１】
次に、本発明の一実施形態の作用及び効果について説明する。
【００３２】
本発明の一実施形態に係る建物用の壁１０では、隣り合う壁構成材１２の間には、ガラス板１４が配置されており、このガラス板１４は、天井３４から床３６に近接する位置まで上下方向に延在されている。
【００３３】
ここで、隣り合う壁構成材１２は、一対の接着材２６及びガラス板１４によってのみ連結されている。従って、隣り合う壁構成材１２同士を連結する連結部材が存在せず、ガラス板１４が天井３４から床３６に近接する位置まで外部から視認可能な状態となる。これにより、ガラス板１４がすっきりとした印象となり、壁１０全体の見栄えを向上させることができる。
【００３４】
ところで、上述のように、隣り合う壁構成材１２が、一対の接着材２６及びガラス板１４によってのみ連結されていると、ガラス板１４に衝撃が加えられてガラス板１４が割れた場合に壁１０の損壊が懸念される。
【００３５】
ところが、本発明の一実施形態に係る建物用の壁１０では、隣り合う壁構成材１２の互いに対向する端面１６Ａに溝部２４がそれぞれ形成されており、この溝部２４のそれぞれに設けられた接着材２６によってガラス板１４が隣り合う壁構成材１２に対して弾性支持されている。従って、ガラス板１４に衝撃が加えられたときでも、この衝撃を弾性を有する接着材２６で吸収することができるので、ガラス板１４の割れを抑制することができる。
【００３６】
また、弾性を有する接着材２６を用いることにより、ガラス板１４に強化ガラスを用いる必要が無く、非強化ガラスを用いることが可能となる。そして、ガラス板１４に非強化ガラスを用いた場合には、ガラス板１４に強い衝撃が加えられた場合でも、ガラス板１４が強化ガラスのように粉々に砕け散ることが防止され、通常は、ガラス板１４に亀裂が生じる。
【００３７】
ここで、ガラス板１４は、隣り合う壁構成材１２によってのみ支持されている。このため、ガラス板１４に加えられた衝撃力は壁構成材１２へ向けて伝達され、上記亀裂も壁構成材１２に向かって生じる。従って、ガラス板１４に強い衝撃が加えられた場合でも、ガラス板１４に亀裂が上下方向に生じることを抑制できる。これにより、ガラス板１４が割れ難いか、又は、ガラス板１４が割れても壁としての機能を維持できる壁１０が実現可能となる。
【００３８】
また、本発明の一実施形態に係る建物用の壁１０によれば、ガラス板１４が、一対の接着材２６によって壁１０の幅方向及び厚さ方向に支持されているので、ガラス板１４に対して壁１０の幅方向及び厚さ方向に衝撃が加えられた場合でも、ガラス板１４の割れを抑制することができる。
【００３９】
また、本発明の一実施形態に係る建物用の壁１０によれば、ガラス板１４、縦枠材１６、接着材２６（図２のユニットＡ）は、予め工場において組立されてユニット化されている。従って、実際の取付現場においては、このユニットＡを容易に取り付けることができる。
【００４０】
また、本発明の一実施形態に係る建物用の壁１０によれば、従来のように、大工が各構成部材を実際の取付現場において造り付けする場合に比して、ユニットＡが予めユニット化されているので、大幅に工期を短縮することができると共に、現場作業を削減することができる。しかも、ユニットＡが予め工場において組み立てられているので、ユニットＡの品質を安定させることができる。これにより、安価で高品質な建物用の壁１０を提供することができる。
【００４１】
以上、本発明の一実施形態について説明したが、本発明は、上記に限定されるものでなく、その主旨を逸脱しない範囲内において種々変形して実施することが可能であることは勿論である。
【００４２】
例えば、上記実施形態では、壁１０が４つの壁構成材１２を有して構成されていたが、一対の壁構成材１２、又は、５つ以上の壁構成材１２を有して構成されていても良い。
【００４３】
また、上記実施形態において、ガラス板１４は、接着材２６によって壁構成材１２に弾性支持されていたが、例えば、弾性支持部材としてのゴム等によって弾性支持される構成とされていても良い。
【符号の説明】
【００４４】
１０  壁
１２  壁構成材
１４  ガラス板
１６Ａ  端面（一対の壁構成材の互いに対向する端面）
２４  溝部
２６  接着材（弾性支持部材）
【図１】
2010196410.tif 000003
【図２】
2010196410.tif 000004
【図３】
2010196410.tif 000005